(57)【特許請求の範囲】
【請求項１】
ルータに用いられるインテリジェント遠隔制御方法であって、
トリガイベントを取得するステップと、
前記トリガイベントに基づいて、通知メッセージを生成するステップと、
前記通知メッセージを少なくとも一つの第１端末にプッシュするステップと、
前記少なくとも一つの第１端末により、前記通知メッセージに基づいて生成されてリターンされる制御命令を受信するステップと、
前記制御命令により、前記制御命令に対応する第２端末を制御するステップと
を含み、
前記トリガイベントを取得するステップは、
前記ルータにおいて、前記第２端末から前記ルータを介したサーバに対する制御リクエストを受信するステップと、
前記ルータにおいて、前記第２端末が所定の端末であるか否かを検出するステップと、
前記ルータにおいて、前記第２端末が所定の端末であると検出した場合に前記制御リクエストを前記トリガイベントとして取得するステップとを含み、
前記第２端末は、前記ルータと同一のＬＡＮ環境に位置している家電製品である
ことを特徴とするインテリジェント遠隔制御方法。
【請求項２】
ルータに用いられるインテリジェント遠隔制御方法であって、
トリガイベントを取得するステップと、
前記トリガイベントに基づいて、通知メッセージを生成するステップと、
前記通知メッセージを少なくとも一つの第１端末にプッシュするステップと、
前記少なくとも一つの第１端末により、前記通知メッセージに基づいて生成されてリターンされる制御命令を受信するステップと、
前記制御命令により、前記制御命令に対応する第２端末を制御するステップと
を含み、
前記トリガイベントを取得するステップは、
前記ルータとインターネットを介して接続されたサーバから特定情報を受信するステップと、
前記特定情報が、予め設定されたトリガイベントのトリガ条件を満たすか否かを判断するステップと、
予め設定されたトリガイベントのトリガ条件を満たす場合、予め設定されたトリガイベントを取得するステップとを含み、
前記第２端末は、前記ルータと同一のＬＡＮ環境に位置している家電製品である
ことを特徴とするインテリジェント遠隔制御方法。
【請求項３】
前記トリガイベントに基づいて、通知メッセージを生成するステップは、
前記トリガイベントが予め設定されたトリガイベントのプッシュリストに含まれているか否かを判断するステップと、
前記トリガイベントが前記トリガイベントのプッシュリストに含まれている場合、前記トリガイベントに基づいて通知メッセージを生成するステップと
を含むことを特徴とする請求項１又は２に記載のインテリジェント遠隔制御方法。
【請求項４】
前記通知メッセージを少なくとも一つの第１端末にプッシュするステップは、
前記通知メッセージを予め設定された少なくとも一つの第１端末にプッシュするステップを含むか、
又は、
前記トリガイベントに基づいて、前記通知メッセージを前記トリガイベントに対応する少なくとも一つの第１端末にプッシュするステップとを含む
ことを特徴とする請求項１又は２に記載のインテリジェント遠隔制御方法。
【請求項５】
前記通知メッセージには、前記トリガイベントに基づいて取得した動画、画像、及び／又は、テキストのコンテンツが含まれている
ことを特徴とする請求項１又は２に記載のインテリジェント遠隔制御方法。
【請求項６】
ルータにより、前記ルータが取得したトリガイベントに基づいて生成されてプッシュされる通知メッセージを受信するステップと、
前記通知メッセージに基づいて、対応する制御命令を生成するステップと、
前記制御命令を前記ルータにリターンして、前記ルータに接続された第２端末を制御するステップと、
を含み、
前記ルータは、前記トリガイベントを取得する際に、前記ルータとインターネットを介して接続されたサーバから特定情報を受信し、前記特定情報が、予め設定されたトリガイベントのトリガ条件を満たすか否かを判断し、予め設定されたトリガイベントのトリガ条件を満たす場合、予め設定されたトリガイベントを取得し、
前記第２端末は、前記ルータと同一のＬＡＮ環境に位置している家電製品である
ことを特徴とするインテリジェント遠隔制御方法。
【請求項７】
前記通知メッセージに基づいて、対応する制御命令を生成するステップは、
前記通知メッセージには少なくとも一つの制御オプションが含まれており、前記制御オプションを選択することにより、対応する制御命令を生成するステップを含むか、
又は、
前記通知メッセージに基づいて、対応する制御アプリケーションプログラムを実行するステップと、
前記制御アプリケーションプログラムを実行することにより、前記制御命令を生成するステップとを含む
ことを特徴とする請求項６に記載のインテリジェント遠隔制御方法。
【請求項８】
前記制御命令には、動画、画像、及び／又は、テキストのコンテンツが含まれている
ことを特徴とする請求項６に記載のインテリジェント遠隔制御方法。
【請求項９】
トリガイベントを取得するためのトリガイベント取得モジュールと、
前記トリガイベントに基づいて、通知メッセージを生成するための通知メッセージ生成モジュールと、
前記通知メッセージを少なくとも一つの第１端末にプッシュするための通知メッセージプッシュモジュールと、
前記少なくとも一つの第１端末により、前記通知メッセージに基づいて生成されてリターンされる制御命令を受信するための制御命令受信モジュールと、
前記制御命令により、前記制御命令に対応する第２端末を制御するための端末制御モジュールと
を備えるインテリジェント遠隔制御ルータであって、
前記トリガイベント取得モジュールは、
前記第２端末からサーバに対する制御リクエストを受信するための受信ユニットと、
前記第２端末が所定の端末であるか否かを検出する検出ユニットと、
前記第２端末が所定の端末であると検出した場合に前記制御リクエストを前記トリガイベントとして取得する取得ユニットと、を備え、
前記第２端末は、前記インテリジェント遠隔制御ルータと同一のＬＡＮ環境に位置している家電製品である
ことを特徴とするインテリジェント遠隔制御ルータ。
【請求項１０】
トリガイベントを取得するためのトリガイベント取得モジュールと、
前記トリガイベントに基づいて、通知メッセージを生成するための通知メッセージ生成モジュールと、
前記通知メッセージを少なくとも一つの第１端末にプッシュするための通知メッセージプッシュモジュールと、
前記少なくとも一つの第１端末により、前記通知メッセージに基づいて生成されてリターンされる制御命令を受信するための制御命令受信モジュールと、
前記制御命令により、前記制御命令に対応する第２端末を制御するための端末制御モジュールと、
を備えるインテリジェント遠隔制御ルータであって、
前記トリガイベント取得モジュールは、
前記インテリジェント遠隔制御ルータとインターネットを介して接続されたサーバから特定情報を受信する受信ユニットと、
前記特定情報が、予め設定されたトリガイベントのトリガ条件を満たすか否かを判断する判断ユニットと、
予め設定されたトリガイベントのトリガ条件を満たす場合、予め設定されたトリガイベントを取得する取得ユニットと、を備え、
前記第２端末は、前記インテリジェント遠隔制御ルータと同一のＬＡＮ環境に位置している家電製品である
ことを特徴とするインテリジェント遠隔制御ルータ。
【請求項１１】
前記通知メッセージ生成モジュールは、
前記トリガイベントが予め設定されたトリガイベントのプッシュリストに含まれているか否かを判断するためのトリガイベント選別ユニットと、
前記トリガイベントが前記トリガイベントのプッシュリストに含まれている場合、前記トリガイベントに基づいて通知メッセージを生成するための通知メッセージ生成ユニットと、
を含むことを特徴とする請求項９又は１０に記載のインテリジェント遠隔制御ルータ。
【請求項１２】
前記通知メッセージプッシュモジュールは、第１通知メッセージプッシュユニット、及び／又は、第２通知メッセージプッシュユニットを備え、
前記第１通知メッセージプッシュユニットは、前記通知メッセージを予め設定された少なくとも一つの第１端末にプッシュし、
前記第２通知メッセージプッシュユニットは、前記トリガイベントに基づいて、前記通知メッセージを前記トリガイベントに対応する少なくとも一つの第１端末にプッシュする
ことを特徴とする請求項９又は１０に記載のインテリジェント遠隔制御ルータ。
【請求項１３】
前記通知メッセージには、前記トリガイベントに基づいて取得した動画、画像、及び／又は、テキストのコンテンツが含まれている
ことを特徴とする請求項９又は１０に記載のインテリジェント遠隔制御ルータ。
【請求項１４】
ルータにより、前記ルータが取得したトリガイベントに基づいて生成されてプッシュされる通知メッセージを受信するための通知メッセージ受信モジュールと、
前記通知メッセージに基づいて、対応する制御命令を生成するための制御命令生成モジュールと、
前記制御命令を前記ルータにリターンして、前記ルータに接続された第２端末を制御するための制御命令リターンモジュールと、
を備え、
前記ルータは、前記トリガイベントを取得する際に、前記ルータとインターネットを介して接続されたサーバから特定情報を受信し、前記特定情報が、予め設定されたトリガイベントのトリガ条件を満たすか否かを判断し、予め設定されたトリガイベントのトリガ条件を満たす場合、予め設定されたトリガイベントを取得し、
前記第２端末は、前記ルータと同一のＬＡＮ環境に位置している家電製品である
ことを特徴とするインテリジェント遠隔制御端末。
【請求項１５】
前記制御命令生成モジュールは、第１制御命令生成ユニット、及び／又は、第２制御命令生成ユニットを備え、
前記第１制御命令生成ユニットは、制御オプションを選択することにより、対応する制御命令を生成し、
前記通知メッセージには少なくとも一つの前記制御オプションを含んでおり、
第２制御命令生成ユニットは、
前記通知メッセージに基づいて、対応する制御アプリケーションプログラムを実行するための制御アプリケーション指定ユニットと、
前記制御アプリケーションプログラムを実行することにより、前記制御命令を生成するためのアプリケーション制御ユニットと、を備える
ことを特徴とする請求項１４に記載のインテリジェント遠隔制御端末。
【請求項１６】
前記制御命令には、動画、画像、及び／又は、テキストのコンテンツが含まれている
ことを特徴とする請求項１４に記載のインテリジェント遠隔制御端末。
【請求項１７】
プロセッサと、
前記プロセッサが実行可能な命令を記憶するためのメモリと、
を備えるインテリジェント遠隔制御装置であって、
前記プロセッサは、
トリガイベントを取得し、
前記トリガイベントに基づいて、通知メッセージを生成し、
前記通知メッセージを少なくとも一つの第１端末にプッシュし、
前記少なくとも一つの第１端末により、前記通知メッセージに基づいて生成されてリターンされる制御命令を受信し、
前記制御命令によって、前記制御命令に対応する第２端末を制御するよう構成され、
前記トリガイベントの取得において、
前記第２端末から前記インテリジェント遠隔制御装置を介したサーバに対する制御リクエストを受信し、
前記第２端末が所定の端末であるか否かを検出し、
前記第２端末が所定の端末であると検出した場合に前記制御リクエストを前記トリガイベントとして取得し、
前記第２端末は、前記インテリジェント遠隔制御装置と同一のＬＡＮ環境に位置している家電製品である、
ことを特徴とするインテリジェント遠隔制御装置。
【請求項１８】
プロセッサと、
前記プロセッサが実行可能な命令を記憶するためのメモリと、
を備えるインテリジェント遠隔制御装置であって、
前記プロセッサは、
トリガイベントを取得し、
前記トリガイベントに基づいて、通知メッセージを生成し、
前記通知メッセージを少なくとも一つの第１端末にプッシュし、
前記少なくとも一つの第１端末により、前記通知メッセージに基づいて生成されてリターンされる制御命令を受信し、
前記制御命令によって、前記制御命令に対応する第２端末を制御するよう構成され、
前記トリガイベントの取得において、
前記インテリジェント遠隔制御装置とインターネットを介して接続されたサーバから特定情報を受信し、
前記特定情報が、予め設定されたトリガイベントのトリガ条件を満たすか否かを判断し、
予め設定されたトリガイベントのトリガ条件を満たす場合、予め設定されたトリガイベントを取得し、
前記第２端末は、前記インテリジェント遠隔制御装置と同一のＬＡＮ環境に位置している家電製品である
ことを特徴とするインテリジェント遠隔制御装置。
【請求項１９】
プロセッサと、
前記プロセッサが実行可能な命令を記憶するためのメモリと、
を備え、
前記プロセッサは、
ルータにより、前記ルータが取得したトリガイベントに基づいて生成されてプッシュされる通知メッセージを受信し、
前記通知メッセージに基づいて、対応する制御命令を生成し、
前記制御命令を前記ルータにリターンして、前記ルータに接続された第２端末を制御するよう構成され、
前記ルータは、前記トリガイベントを取得する際に、前記ルータとインターネットを介して接続されたサーバから特定情報を受信し、前記特定情報が、予め設定されたトリガイベントのトリガ条件を満たすか否かを判断し、予め設定されたトリガイベントのトリガ条件を満たす場合、予め設定されたトリガイベントを取得し、
前記第２端末は、前記ルータと同一のＬＡＮ環境に位置している家電製品である、
ことを特徴とするインテリジェント遠隔制御装置。
【請求項２０】
プロセッサに実行されることにより、請求項１から請求項８のいずれかに記載のインテリジェント遠隔制御方法を実現することを特徴とするプログラム。
【請求項２１】
請求項２０に記載のプログラムが記録された記録媒体。
【発明の詳細な説明】
【技術分野】
【０００１】
本発明はインテリジェント制御技術の分野に関し、特に、インテリジェント遠隔制御方法、ルータ、端末、装置、プログラム、及び記録媒体に関する。
【背景技術】
【０００２】
家電製品は、人々の日常のホームライフにおいてもうエッセンシャルな電気機器になった。従来の家電製品は、人々によりタッチボタン、または赤外線リモコンによってリモート制御するものである。時代の発展に伴い、こんな従来の操作モードの家電製品は、もう人々の家電製品に対する操作要求を満たすことができなくなった。
【０００３】
この傾向に従って、人々はインテリジェントホームの概念を提案している。いわゆるインテリジェントホームは、ホームをプラットフォームとして、ケーブル配線技術、ネットワーク通信技術、安全防備技術、自動制御技術、音動画技術を利用して、ホームライフに関連する施設を統合して構築した、効率的な住宅施設と日常の家事の管理システムであって、ホーム安全性、便利性、快適性、芸術性をアップグレードするとともに、省エネな住環境を実現する。この概念は、もう将来の家電製品の発展の必然的な傾向と、幅広く認められている。
【発明の概要】
【０００４】
本発明は、従来技術に存在する問題を解決するために、インテリジェント遠隔制御方法、ルータ、端末、装置、プログラム、及び記録媒体を提供する。前記の技術案は以下のとおりである。
【０００５】
本発明の実施例の第１の方面によると、インテリジェント遠隔制御方法を提供し、前記方法は、
トリガイベントを取得するステップと、
前記トリガイベントに基づいて、通知メッセージを生成するステップと、
前記通知メッセージを少なくとも一つの第１端末にプッシュするステップと、
前記少なくとも一つの第１端末により、前記通知メッセージに基づいて生成されてリターンされる制御命令を受信するステップと、
前記制御命令により、前記制御命令に対応する第２端末を制御するステップと
を含む。
【０００６】
オプションとして、
前記トリガイベントを取得するステップは、
前記第２端末が送信する第２端末の状態情報を受信するステップと、
前記第２端末の状態情報が、前記トリガイベントのトリガ条件を満たすか否かを判断するステップと、
前記第２端末の状態情報が前記トリガイベントのトリガ条件を満たす場合、前記第２端末の状態情報に基づいて前記トリガイベントを取得するステップとを含むか、
又は、
予め設定されたトリガイベントのトリガ条件を満たすか否かを判断するステップと、
予め設定されたトリガイベントのトリガ条件を満たす場合、予め設定されたトリガイベントを取得するステップとを含む。
【０００７】
オプションとして、
前記トリガイベントに基づいて、通知メッセージを生成するステップは、
前記トリガイベントが予め設定されたトリガイベントのプッシュリストに含まれているか否かを判断するステップと、
前記トリガイベントが前記トリガイベントのプッシュリストに含まれている場合、前記トリガイベントに基づいて通知メッセージを生成するステップと
を含む。
【０００８】
オプションとして、
前記通知メッセージを少なくとも一つの第１端末にプッシュするステップは、
前記通知メッセージを予め設定された少なくとも一つの第１端末にプッシュするステップを含むか、
又は、
前記トリガイベントに基づいて、前記通知メッセージを前記トリガイベントに対応する少なくとも一つの第１端末にプッシュするステップとを含む。
【０００９】
オプションとして、
前記通知メッセージには、前記トリガイベントに基づいて取得した動画、画像、及び／又は、テキストのコンテンツが含まれている。
【００１０】
オプションとして、
前記ルータと第２端末とは同一のＬＡＮ環境に位置している。
【００１１】
本発明の実施例の第２の方面によると、インテリジェント遠隔制御方法を提供し、前記方法は、
ルータにより、前記ルータが取得したトリガイベントに基づいて生成されてプッシュされる通知メッセージを受信するステップと、
前記通知メッセージに基づいて、対応する制御命令を生成するステップと、
前記制御命令を前記ルータにリターンして、前記ルータに接続された第２端末を制御するステップと、
を含む。
【００１２】
オプションとして、
前記通知メッセージに基づいて、対応する制御命令を生成するステップは、
前記通知メッセージには少なくとも一つの制御オプションが含まれており、前記制御オプションを選択することにより、対応する制御命令を生成するステップを含むか、
又は、
前記通知メッセージに基づいて、対応する制御アプリケーションプログラムを実行するステップと、
前記制御アプリケーションプログラムを実行することにより、前記制御命令を生成するステップとを含む。
【００１３】
オプションとして、
前記制御命令には、動画、画像、及び／又は、テキストのコンテンツが含まれている。
【００１４】
本発明の実施例の第３の方面によると、インテリジェント遠隔制御ルータを提供し、前記ルータは、
トリガイベントを取得するためのトリガイベント取得モジュールと、
前記トリガイベントに基づいて、通知メッセージを生成するための通知メッセージ生成モジュールと、
前記通知メッセージを少なくとも一つの第１端末にプッシュするための通知メッセージプッシュモジュールと、
前記少なくとも一つの第１端末により、前記通知メッセージに基づいて生成されてリターンされる制御命令を受信するための制御命令受信モジュールと、
前記制御命令により、前記制御命令に対応する第２端末を制御するための端末制御モジュールと
を備える。
【００１５】
オプションとして、
前記トリガイベント取得モジュールは、第１イベント取得ユニット、及び／又は、第２イベント取得ユニットを備え、
前記第１イベント取得ユニットは、
前記第２端末が送信する第２端末の状態情報を受信するための第１端末状態受信ユニットと、
前記第２端末の状態情報が、前記トリガイベントのトリガ条件を満たすか否かを判断するための第１トリガイベント判断ユニットと、
前記第２端末の状態情報が前記トリガイベントのトリガ条件を満たす場合、前記第２端末の状態情報に基づいて前記トリガイベントを取得するための第１トリガイベント取得ユニットと、を備え、
前記第２イベント取得ユニットは、
予め設定されたトリガイベントのトリガ条件を満たすか否かを判断するための第２トリガイベント判断ユニットと、
予め設定されたトリガイベントのトリガ条件を満たす場合、予め設定されたトリガイベントを取得するための第２トリガイベント取得ユニットと、を備える。
【００１６】
オプションとして、
前記通知メッセージ生成モジュールは、
前記トリガイベントが予め設定されたトリガイベントのプッシュリストに含まれているか否かを判断するためのトリガイベント選別ユニットと、
前記トリガイベントが前記トリガイベントのプッシュリストに含まれている場合、前記トリガイベントに基づいて通知メッセージを生成するための通知メッセージ生成ユニットと、
を含む。
【００１７】
オプションとして、
前記通知メッセージプッシュモジュールは、第１通知メッセージプッシュユニット、及び／又は、第２通知メッセージプッシュユニットを備え、
前記第１通知メッセージプッシュユニットは、前記通知メッセージを予め設定された少なくとも一つの第１端末にプッシュし、
前記第２通知メッセージプッシュユニットは、前記トリガイベントに基づいて、前記通知メッセージを前記トリガイベントに対応する少なくとも一つの第１端末にプッシュする。
【００１８】
オプションとして、
前記通知メッセージには、前記トリガイベントに基づいて取得した動画、画像、及び／又は、テキストのコンテンツが含まれている。
【００１９】
オプションとして、
前記ルータと第２端末とは同一のＬＡＮ環境に位置している。
【００２０】
本発明の実施例の第４の方面によると、インテリジェント遠隔制御端末を提供し、前記端末は、
ルータにより、前記ルータが取得したトリガイベントに基づいて生成されてプッシュされる通知メッセージを受信するための通知メッセージ受信モジュールと、
前記通知メッセージに基づいて、対応する制御命令を生成するための制御命令生成モジュールと、
前記制御命令を前記ルータにリターンして、前記ルータに接続された第２端末を制御するための制御命令リターンモジュールと、
を備える。
【００２１】
オプションとして、
前記制御命令生成モジュールは、第１制御命令生成ユニット、及び／又は、第２制御命令生成ユニットを備え、
前記第１制御命令生成ユニットは、制御オプションを選択することにより、対応する制御命令を生成し、
前記通知メッセージには少なくとも一つの前記制御オプションを含んでおり、
第２制御命令生成ユニットは、
前記通知メッセージに基づいて、対応する制御アプリケーションプログラムを実行するための制御アプリケーション指定ユニットと、
前記制御アプリケーションプログラムを実行することにより、前記制御命令を生成するためのアプリケーション制御ユニットと、を備える。
【００２２】
オプションとして、
前記制御命令には、動画、画像、及び／又は、テキストのコンテンツが含まれている。
【００２３】
本発明の実施例の第５の方面によると、インテリジェント遠隔制御装置を提供し、前記装置は、
プロセッサと、
前記プロセッサが実行可能な命令を記憶するためのメモリと、
を備え、
前記プロセッサは、
トリガイベントを取得し、
前記トリガイベントに基づいて、通知メッセージを生成し、
前記通知メッセージを少なくとも一つの第１端末にプッシュし、
前記少なくとも一つの第１端末により、前記通知メッセージに基づいて生成されてリターンされる制御命令を受信し、
前記制御命令によって、前記制御命令に対応する第２端末を制御するよう構成される。
【００２４】
本発明の実施例の第６の方面によると、インテリジェント遠隔制御装置を提供し、前記装置は、
プロセッサと、
前記プロセッサが実行可能な命令を記憶するためのメモリと、
を備え、
前記プロセッサは、
ルータにより、前記ルータが取得したトリガイベントに基づいて生成されてプッシュされる通知メッセージを受信し、
前記通知メッセージに基づいて、対応する制御命令を生成し、
前記制御命令を前記ルータにリターンして、前記ルータに接続された第２端末を制御するよう構成される。
【００２５】
本発明の第７の方面によると、プロセッサに実行されることにより、上記インテリジェント遠隔制御方法を実現するプログラムを提供する。
【００２６】
本発明の第８の方面によると、上記プログラムが記録された記録媒体を提供する。
【００２７】
本発明の実施例が提供する技術方案の有益な効果は以下のとおりである。
ルータを用いて前記第２端末のトリガイベントを取得し、当該トリガイベントに基づいて対応する通知メッセージを生成する。また、ルータを用いて当該通知メッセージを遠端に位置する第１端末にプッシュする。遠端に位置する第１端末はルータがプッシュした通知メッセージを受信し、ルータが取得したトリガイベントを取得する。第１端末は前記通知メッセージに基づいて対応する制御命令を生成し、前記制御命令を前記ルータにリターンして、当該ルータによって、前記トリガイベントをプッシュした第２端末に対する遠隔制御を実現する。上記のインテリジェント遠隔制御方法によって、ユーザにルータを介してインテリジェント遠隔制御機能を実現させることができる。こんなインテリジェント遠隔制御方法は、ユーザの家電製品に対する操作手段を富化し、インテリジェントホームの実現のために技術の基礎を提供した。
【００２８】
以上の統括な記述と以下の細部記述は、ただ例示的なものであり、本発明を制限するものではないと、理解するべきである。
【図面の簡単な説明】
【００２９】
本発明の実施例をより一層明確に説明するために、以下、実施例の記述に必要な図面について簡単に説明を行い、明らかなのは、以下の記述における図面はただ本発明のいくつかの実施例に過ぎず、本技術分野の当業者にとって、これらの図面に基づき創造的労働を実施しない状況で他の図面も獲得できることである。
【図１】図１は、例示的な一実施例に係るインテリジェント遠隔制御方法を示す例示的なフローチャートである。
【図２Ａ】図２Ａは、例示的なもう一実施例に係るトリガイベントを取得する流れを示す例示的な一フローチャートである。
【図２Ｂ】図２Ｂは、例示的なもう一実施例に係るトリガイベントを取得する流れを示す例示的なもう一フローチャートである。
【図３】図３は、例示的なもう一実施例に係る通知メッセージを生成する流れを示す例示的なフローチャートである。
【図４】図４は、例示的な一実施例に係るインテリジェント遠隔制御方法を示す例示的なフローチャートである。
【図５Ａ】図５Ａは、例示的なもう一実施例に係る制御命令を生成する流れを示す例示的な一フローチャートである。
【図５Ｂ】図５Ｂは、例示的なもう一実施例に係る制御命令を生成する流れを示す例示的なもう一フローチャートである。
【図６】図６は、例示的な一実施例に係るインテリジェント遠隔制御ルータを示す模式図である。
【図７】図７は、例示的な一実施例に係るインテリジェント遠隔制御端末を示す模式図である。
【図８】図８は、例示的な一実施例に係るインテリジェント遠隔制御端末を示すインターフェイスの模式図である。
【図９】図９は、例示的な一実施例に係るインテリジェント遠隔制御を実行するための装置を示す例示的なブロック図である。  上記図面によって本発明の明確な実施例を例示し、以下にさらに詳しく記述する。これらの図面と文字記述は本発明の旨の範囲を何らの形態によって制限するものではなく、特定の実施例を参照することによって、本技術分野の当業者に本発明の概念を理解させるためのものである。
【発明を実施するための形態】
【００３０】
本発明の目的、技術方案及びと利点をさらに明確にするために、以下、図面を参照しながら本発明の実施例をさらに詳しく説明する。もちろん、説明する実施例はただ本発明のいくつかの実施例に過ぎず、全部の実施例ではない。本技術分野の当業者が本発明の実施例に基づき創造的労働を実施しない状況で獲得した他の全部の実施例は本発明の範囲に属する。
【００３１】
まず、本発明の各実施例において言及される電子機器は、携帯電話、タブレットＰＣ、電子ブックリーダー、ＭＰ３（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＩＩ）プレーヤー、MP４（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＶ）プレーヤー、ポータブルコンピュータ、デスクトップコンピュータ等であってもよいこと、を説明する必要がある。
【００３２】
図１は、例示的な一実施例に係るインテリジェント遠隔制御方法を示すフローチャートである。当該インテリジェント遠隔制御方法をルータに適用する例を挙げて、本実施例を説明する。当該インテリジェント遠隔制御方法は、以下のステップを含んでもよい。
【００３３】
ステップ１０２において、トリガイベントを取得する。
ステップ１０４において、前記トリガイベントに基づいて、通知メッセージを生成する。
ステップ１０６において、前記通知メッセージを少なくとも一つの第１端末にプッシュする。
ステップ１０８において、前記少なくとも一つの第１端末により、前記通知メッセージに基づいて生成されてリターンされる制御命令を受信する。
ステップ１１０において、前記制御命令によって、前記制御命令に対応する第２端末を制御する。
【００３４】
上記のように、本実施例により提供するインテリジェント遠隔制御方法によると、ルータを用いて前記第２端末のトリガイベントを取得し、当該トリガイベントに基づいて対応する通知メッセージを生成する。また、ルータを用いて当該通知メッセージを遠端に位置する第１端末にプッシュする。ユーザは当該第１端末によって当該通知メッセージを受信できるとともに、当該通知メッセージに基づいて対応する制御命令をリターンする。前記ルータは当該制御命令に基づいて該当する第２端末を制御する。上記のインテリジェント遠隔制御方法によって、ユーザにルータを介してインテリジェント遠隔制御機能を実現させることができる。このようなインテリジェント遠隔制御方法によると、ユーザの家電製品に対する操作手段を富化し、インテリジェントホームの実現のために技術の基礎を提供した。
【００３５】
図２Ａは、例示的なもう一実施例に係るトリガイベントを取得する流れを示す一フローチャート一である。図面に示したように、トリガイベントを取得する前記ステップは、以下のステップを含んでもよい。
【００３６】
ステップ２０１において、前記第２端末が送信する第２端末の状態情報を受信する。
【００３７】
前記第２端末は、ルータと同一のＬＡＮ環境に位置しているエアコン、テレビセット、温水器、カメラ、コンピュータ端末、等のような家電製品であってもよい。一般的に、これら端末機器は、自己的に自身の状態及び環境状態を検出できる。例えば、エアコンは、室内の温度の状態を検出することができるし、温水器は。現在の水温の状態、等を検出することができる。これら端末機器は、ＬＡＮを介して、検出した関連する状態情報をルータに送信することができる。
【００３８】
前記第２端末は、インターネットを介してルータと接続されたサーバ、或は他の端末機器であってもよい。例えば、ユーザが「星から来たあなた」をチェイスドラマに設定したとする。すると、当該動画リソースを提供するサーバは、更新されたエピソードを発見すると、インターネットを介して当該エピソード情報をルータに送信することができる。
【００３９】
ステップ２０２において、前記第２端末の状態情報が、前記トリガイベントのトリガ条件を満たすか否かを判断する。
【００４０】
ステップ２０３において、前記第２端末の状態情報が、前記トリガイベントのトリガ条件を満たす場合、前記第２端末の状態情報に基づいて前記トリガイベントを取得する。
【００４１】
ユーザは前記第２端末の状態情報のトリガ条件を予め設定することができる。現在、前記第２端末の状態情報が関連するトリガ条件を満たす場合にのみ、当該状態情報をトリガイベントであると判断する。例えば、ユーザは、温水器の水温が５０℃以下である状態の情報をトリガ条件に設定する。温水器が送信した状態情報が、水温が５０℃以下であることを示す場合、トリガイベントであると判断する。そして、異なる端末が送信した異なる関連する状態情報に基づいて、該当するトリガイベントを取得する。
【００４２】
図２Ｂは、例示的なもう一実施例に係るトリガイベントを取得する流れを示すもう一フローチャートである。図面に示したように、トリガイベントを取得する前記ステップは、以下のステップをさらに含んでもよい。
【００４３】
ステップ２１１において、予め設定されたトリガイベントのトリガ条件を満たすか否かを判断する。
【００４４】
ステップ２１２において、予め設定されたトリガイベントのトリガ条件を満たす場合、予め設定されたトリガイベントを取得する。
【００４５】
前記トリガイベントは、第２端末が送信した第２端末の状態情報によってトリガされることができるほか、ユーザが予め設定したトリガイベントのトリガ条件によってもトリガされることができる。例えば、ユーザは、妻の誕生日は４月８日であり、誕生日にリマインドメッセージをプッシュするよう要求することを、ルータに予め設定する。ルータは、現在の時間がユーザにより予め設定したトリガ条件を満たすことが検出された場合、当該予め設定されたトリガイベントを取得する。
【００４６】
図３は、例示的なもう一実施例に係る通知メッセージを生成する流れを示すフローチャートである。図面に示したように、トリガイベントに基づいて通知メッセージを生成する前記ステップは、以下のステップを含んでもよい。
【００４７】
ステップ３０１において、前記トリガイベントが予め設定されたトリガイベントのプッシュリストに含まれているか否かを判断する。
【００４８】
ステップ３０２において、前記トリガイベントが前記トリガイベントのプッシュリストに含まれている場合、前記トリガイベントに基づいて通知メッセージを生成する。
【００４９】
多くのトリガイベントを取得できることが考えられるが、ユーザにとって実際に必要となる通知のプッシュとインテリジェント遠隔制御は、あまり多くない。そこで、本実施例はユーザをためにトリガイベントのプッシュリストを提供する。ユーザは、通知のプッシュを行うことが必要なトリガイベントを、当該リストに予め設定することができる。ルータがトリガイベントを取得した後、当該トリガイベントが予め設定されたトリガイベントのプッシュリストに含まれているか否かを判断することになる。ただ、トリガイベントが当該リストに含まれている場合に、通知メッセージを生成することになり、これにより、通知をプッシュする必要がないトリガイベントがシールドされる。
【００５０】
前記通知メッセージは、予め設定された少なくとも一つの遠端に位置する第１端末にプッシュされることができる。
【００５１】
また、前記通知メッセージを、異なる前記トリガイベントによって、前記通知メッセージを該当する異なる第１端末にプッシュすることもできる。ルータには、異なる種類の通知メッセージと異なる第１端末の間の対応リストが設定されていてもよい。ルータは、異なるトリガイベントによって、該当する通知メッセージを区分し、前述対応リストに基づいて当該通知メッセージを該当する第１端末にプッシュする。
【００５２】
前記通知メッセージには、前記トリガイベントに基づいて取得した動画、画像、及び／又は、テキストのコンテンツが含まれている。
【００５３】
図４は、例示的な一実施例に係るインテリジェント遠隔制御方法を示す例示的なフローチャートである。当該インテリジェント遠隔制御方法を端末に適用する例を挙げて、本実施例を説明する。当該インテリジェント遠隔制御方法は、以下のステップを含んでもよい。
【００５４】
ステップ４０２において、ルータにより、前記ルータが取得したトリガイベントに基づいて生成されてプッシュされる通知メッセージを受信する。
ステップ４０４において、前記通知メッセージに基づいて、対応する制御命令を生成する。
ステップ４０６において、前記制御命令を前記ルータにリターンして、前記ルータに接続された第２端末を制御する。
【００５５】
上記のように、本実施例により提供するインテリジェント遠隔制御方法によると、遠端に位置する端末はルータがプッシュした通知メッセージを受信することにより、ルータが取得したトリガイベントを取得する。端末は前記通知メッセージに基づいて対応する制御命令を生成し、前記制御命令を前記ルータにリターンして、当該ルータによって、前記トリガイベントをプッシュした第２端末に対する遠隔制御を実現する。上記のインテリジェント遠隔制御方法によって、ユーザにルータを介してインテリジェント遠隔制御機能を実現させることができる。このようなインテリジェント遠隔制御方法によると、ユーザの家電製品に対する操作手段を富化し、インテリジェントホームの実現のために技術の基礎を提供した。
【００５６】
図５Ａは、例示的なもう一実施例に係る生成制御命令を生成する流れを示す例示的な一フローチャートである。図面に示したように、前記通知メッセージに基づいて対応する制御命令を生成するステップは、以下のステップを含んでもよい。
【００５７】
ステップ５０１において、前記通知メッセージには少なくとも一つの制御オプションが含まれている。
ステップ５０２において、前記制御オプションを選択することにより、対応する制御命令を生成する。
【００５８】
本実施例において、ルータが生成する通知メッセージには、予め設定した少なくとも一つの制御オプションが含まれている。端末は、当該通知メッセージを表示するとともに、ユーザに該当する制御オプションも提供する。ユーザは当該通知メッセージを参照する時、該当する制御オプションを選択することにより、対応する制御命令を生成することができる。
【００５９】
例えば、温水器が、水温低が５０℃以下である関連する状態の情報を検出したとする。ルータは、当該トリガイベントを取得し、通知メッセージを生成する。当該通知メッセージには、「温水器をオンにする」と「温水器をオフにする」という二つの制御オプションが含んでいる。ユーザが当該通知メッセージを参照する時、通知メッセージには対応する「温水器をオンにする」と「温水器をオフにする」という二つの制御オプション的ボタンが表示されている。ユーザは、該当する制御オプションボタンをクリックすることにより、対応する制御命令を生成することができる。
【００６０】
また、例えば、ルータは、室内の環境監視装置、または公共環境指数放出プラットフォームにより提供される環境状態情報によって、ＰＭ２.５の限度を超えたトリガイベントを取得し、通知メッセージを生成する。当該通知メッセージには、「清浄機をオンにする」と「清浄機をオフにする」という二つの制御オプションが含んでいる。ユーザが当該通知メッセージを参照する時、通知メッセージには対応する「清浄機をオンにする」と「清浄機をオフにする」という二つの制御オプション的ボタンが表示されている。ユーザは、該当する制御オプションボタンをクリックすることにより、対応する制御命令を生成することができる。
【００６１】
図５Ｂ、例示的なもう一実施例に係る制御命令を生成する流れを示す例示的なもう一フローチャートである。図面に示したように、前記通知メッセージによって対応する制御命令を生成する前記ステップは、以下のステップをさらに含んでもよい。
【００６２】
ステップ５１１において、前記通知メッセージに基づいて、対応する制御アプリケーションプログラムを実行する。
ステップ５１２において、前記制御アプリケーションプログラムを実行することにより、前記制御命令を生成する。
【００６３】
本実施例において、端末には該当する制御アプリケーションプログラムがインストールされている。前記通知メッセージに基づいて、該当する制御アプリケーションプログラムを実行することができる。ユーザは当該制御アプリケーションプログラムを実行することにより、制御パラメータを設置することができ、これにより該当する制御命令を生成することができる。
【００６４】
例えば、エアコンが、室内の温度が３０℃以上にある関連する状態の情報を検出したとする。ルータは当該トリガイベントを取得し、通知メッセージを生成する。前記通知メッセージには、当該通知メッセージがエアコンに関する通知メッセージであることを特定するための、当該通知メッセージの種類情報が含んでいる。ユーザの端末には、エアコンを制御するための制御アプリケーションプログラムがインストールされている。ユーザが当該通知メッセージを参照する際に、当該通知メッセージをクリックし、端末は、当該通知メッセージの中の関連する種類情報に基づいて、自動的にエアコンの制御アプリケーションプログラムを実行することができる。ユーザは、当該制御アプリケーションプログラムによって、「温度」、 「風量」、 「パワーモード」、等のエアコンに関連するパラメータを設置することにより、最終的の制御パラメータを生成することができる。当該エアコンの制御アプリケーションプログラムは、最終的の制御パラメータに基づいて対応する制御命令生成する。
【００６５】
また、前記制御命令には、関連する制御パラメータのほか、動画、画像、及び／又は、テキストのコンテンツが含んでいてもよい。関連するコンテンツは、端末により該当するアプリケーションプログラムを呼び出して取得され、ここでは詳細に説明しない。
【００６６】
上記のように、本実施例により提供するインテリジェント遠隔制御方法によると、ルータを用いて前記第２端末のトリガイベントを取得し、当該トリガイベントに基づいて対応する通知メッセージを生成する。また、ルータを用いて当該通知メッセージを遠端に位置する第１端末にプッシュする。遠端に位置する第１端末はルータがプッシュした通知メッセージを受信し、ルータが取得したトリガイベントを取得する。第１端末は前記通知メッセージに基づいて対応する制御命令を生成し、前記制御命令を前記ルータにリターンして、当該ルータによって、前記トリガイベントをプッシュした第２端末に対する遠隔制御を実現する。上記のインテリジェント遠隔制御方法によって、ユーザにルータを介してインテリジェント遠隔制御機能を実現させることができる。このようなインテリジェント遠隔制御方法によると、ユーザの家電製品に対する操作手段を富化し、インテリジェントホームの実現のために技術の基礎を提供した。
【００６７】
以下は、本発明の装置の実施例であり、本発明の方法の実施例を実行することができる。本発明の装置の実施例において記述していない細部内容に対しては、本発明の方法の実施例を参照してください。
【００６８】
図６は、例示的な一実施例に係るインテリジェント遠隔制御ルータを示す模式図である。当該インテリジェント遠隔制御ルータは、ソフトウェア、ハードウェア、又は両者の組み合わせによって、電子機器の一部、又は全部を実現できる。当該インテリジェント遠隔制御ルータ６００は、トリガイベント取得モジュール６１０、通知メッセージ生成モジュール６２０、通知メッセージプッシュモジュール６３０、制御命令受信モジュール６４０、及び端末制御モジュール６５０を備える。
【００６９】
トリガイベント取得モジュール６１０は、トリガイベントを取得し、
通知メッセージ生成モジュール６２０は、前記トリガイベントに基づいて、通知メッセージを生成し、
通知メッセージプッシュモジュール６３０は、前記通知メッセージを少なくとも一つの第１端末にプッシュし、
制御命令受信モジュール６４０は、前記少なくとも一つの第１端末により、前記通知メッセージに基づいて生成されてリターンされる制御命令を受信し、
端末制御モジュール６５０は、前記制御命令によって、前記制御命令に対応する第２端末を制御する。
【００７０】
オプションとして、前記トリガイベント取得モジュール６１０は、第１イベント取得ユニット６１０ａ、及び／又は、第２イベント取得ユニット６１０ｂを備える。
前記第１イベント取得ユニット６１０ａは、第１端末状態受信ユニット６１０ａ１、第１トリガイベント判断ユニット６１０ａ２、及び第１トリガイベント取得ユニット６１０ａ３を備える。
第１端末状態受信ユニット６１０ａ１は、前記第２端末が送信する第２端末の状態情報を受信する。
第１トリガイベント判断ユニット６１０ａ２は、前記第２端末の状態情報が、前記トリガイベントのトリガ条件を満たすか否かを判断する。
第１トリガイベント取得ユニット６１０ａ３は、前記第２端末の状態情報が前記トリガイベントのトリガ条件を満たす場合、前記第２端末の状態情報に基づいて前記トリガイベントを取得する。
前記第２イベント取得ユニット６１０ｂは、第２トリガイベント判断ユニット６１０ｂ１、及び第２トリガイベント取得ユニット６１０ｂ２を備える。
第２トリガイベント判断ユニット６１０ｂ１は、予め設定されたトリガイベントのトリガ条件を満たすか否かを判断する。
第２トリガイベント取得ユニット６１０ｂ２は、予め設定されたトリガイベントのトリガ条件を満たす場合、予め設定されたトリガイベントを取得する。
【００７１】
オプションとして、前記通知メッセージ生成モジュール６２０は、トリガイベント選別ユニット６２０ａ、及び通知メッセージ生成ユニット６２０ｂを備える。
トリガイベント選別ユニット６２０ａは、前記トリガイベントが予め設定されたトリガイベントのプッシュリストに含まれているか否かを判断する。
通知メッセージ生成ユニット６２０ｂは、前記トリガイベントが前記トリガイベントのプッシュリストに含まれている場合、前記トリガイベントに基づいて通知メッセージを生成する。
【００７２】
オプションとして、前記通知メッセージプッシュモジュール６３０は、第１通知メッセージプッシュユニット６３０ａ、及び／又は、第２通知メッセージプッシュユニット６３０ｂを備える。
前記第１通知メッセージプッシュユニット６３０ａは、前記通知メッセージを予め設定された少なくとも一つの第１端末にプッシュする。
前記第２通知メッセージプッシュユニット６３０ｂは、前記トリガイベントに基づいて、前記通知メッセージを前記トリガイベントに対応する少なくとも一つの第１端末にプッシュする。
【００７３】
オプションとして、前記通知メッセージには、前記トリガイベントに基づいて取得した動画、画像、及び／又は、テキストのコンテンツが含まれている。
【００７４】
オプションとして、前記ルータと第２端末とは同一のＬＡＮ環境に位置している。
【００７５】
上記のように、本実施例により提供するインテリジェント遠隔制御ルータによると、ルータを用いて前記第２端末のトリガイベントを取得し、当該トリガイベントに基づいて対応する通知メッセージを生成する。また、ルータを用いて当該通知メッセージを遠端に位置する第１端末にプッシュする。ユーザは当該第１端末によって当該通知メッセージを受信できるとともに、当該通知メッセージに基づいて対応する制御命令をリターンする。前記ルータは当該制御命令に基づいて該当する第２端末を制御する。上記のインテリジェント遠隔制御方法によって、ユーザにルータを介してインテリジェント遠隔制御機能を実現させることができる。このようなインテリジェント遠隔制御方法によると、ユーザの家電製品に対する操作手段を富化し、インテリジェントホームの実現のために技術の基礎を提供した。
【００７６】
図７は、例示的な一実施例に係るインテリジェント遠隔制御端末を示す模式図である。当該インテリジェント遠隔制御端末は、ソフトウェア、ハードウェア、又は両者の組み合わせによって、電子機器の一部、又は全部を実現できる。当該インテリジェント遠隔制御端末７００は、通知メッセージ受信モジュール７１０、制御命令生成モジュール７２０、及び制御命令リターンモジュール７３０を備える。
【００７７】
通知メッセージ受信モジュール７１０は、ルータにより、前記ルータが取得したトリガイベントに基づいて生成されてプッシュされる通知メッセージを受信する。
制御命令生成モジュール７２０は、前記通知メッセージに基づいて、対応する制御命令を生成する。
制御命令リターンモジュール７３０は、前記制御命令を前記ルータにリターンして、前記ルータに接続された第２端末を制御する。
【００７８】
オプションとして、前記制御命令生成モジュール７２０は、第１制御命令生成ユニット７２０ａ、及び／又は、第２制御命令生成ユニット７２０ｂを備える。
前記第１制御命令生成ユニット７２０ａは、制御オプションを選択することにより、対応する制御命令を生成し、前記通知メッセージには少なくとも一つの前記制御オプションを含んでいる。
第２制御命令生成ユニット７２０ｂは、制御アプリケーション指定ユニット７２０ｂ１、及びアプリケーション制御ユニット７２０ｂ２を備える。
制御アプリケーション指定ユニット７２０ｂ１は、前記通知メッセージに基づいて、対応する制御アプリケーションプログラムを実行する。
アプリケーション制御ユニット７２０ｂ２は、前記制御アプリケーションプログラムを実行することにより、前記制御命令を生成する。
【００７９】
オプションとして、前記制御命令には、動画、画像、及び／又は、テキストのコンテンツが含まれている。
【００８０】
上記のように、本実施例により提供するインテリジェント遠隔制御ルータ及端末によると、ルータを用いて前記第２端末のトリガイベントを取得し、当該トリガイベントに基づいて対応する通知メッセージを生成する。また、ルータを用いて当該通知メッセージを遠端に位置する第１端末にプッシュする。遠端に位置する第１端末はルータがプッシュした通知メッセージを受信し、ルータが取得したトリガイベントを取得する。第１端末は前記通知メッセージに基づいて対応する制御命令を生成し、前記制御命令を前記ルータにリターンして、当該ルータによって、前記トリガイベントをプッシュした第２端末に対する遠隔制御を実現する。上記のインテリジェント遠隔制御方法によって、ユーザにルータを介してインテリジェント遠隔制御機能を実現させることができる。このようなインテリジェント遠隔制御方法によると、ユーザの家電製品に対する操作手段を富化し、インテリジェントホームの実現のために技術の基礎を提供した。
【００８１】
上記の実施例の装置について、その各モジュールが実行する操作の具体的な形態は既に当該方法に関する実施例において詳細に説明したため、ここでは詳細に説明しない。
【００８２】
図８は、例示的な一実施例に係るインテリジェント遠隔制御端末のインターフェイス模式図である。本実施例において、前記インテリジェント遠隔制御端末は、携帯端末である。図面に示したように、当該携帯端末は、ルータが送信した通知メッセージを受信して、インターフェイスに表示する。通知メッセージの種類の別に、当該インターフェイスに異なる通知アイコンで提示する。図８に示すインターフェイスによって、我々は三つの種類のアプリケーションのシナリオを例と提供して説明する。
【００８３】
妻の誕生日の祝福のシナリオは、以下のとおりである。
当該アプリケーションシナリオ例において、ユーザにより妻の誕生日の提示の要求をルータ側に予め設置されており、ルータは、妻の誕生日にリマインドメッセージをプッシュする必要がある。ルータは、現在の時間がユーザにより予め設定したトリガ条件を満たすことが検出された場合、当該予め設定されたトリガイベントを取得し、生成した該当する通知メッセージをユーザの携帯端末にプッシュする。ユーザの携帯端末は、当該通知メッセージを受信した後、図８のインターフェイスに示したリマインド通知である「今日はあなたの妻の誕生日です」というメッセージを表示する。ユーザは当該リマインド通知を受信した後、携帯端末の撮像アプリケーションプログラムをオンにして、誕生日の祝福の動画を録画し、当該誕生日の祝福の動画をリターンする制御命令中に付加する。ここで、当該制御命令は、妻が家に戻った後、動画を再生させる制御命令である。ユーザは当該制御命令を設置した後、当該制御命令をルータにリターンする。それに応じて、録画された当該誕生日の祝福の動画はルータの格納スペース、またはルータに接続されたクラウドの格納スペースに転送される。
【００８４】
妻が家に戻ると、ルータは、ホームのｗｉｆｉに加入された端末機器情報を検出することにより、妻が家に戻ったことを認識する。それで、ルータは、当該トリガイベントを取得し、該当する通知メッセージを生成して、ユーザの携帯端末にプッシュする。ユーザの携帯端末は、当該通知メッセージを受信した後、図８のインターフェイスに示した通知である「あなたの妻が家に戻りました」というメッセージを表示する。ユーザは当該通知を受信した後、当該通知をクリックして、動画を再生させる制御命令を生成し、当該制御命令をルータにリターンする。ルータは、当該制御命令を受信した後、ルータに接続されたインテリジェントテレビをオンにし、この前に録画した誕生日の祝福の動画を再生させる。
【００８５】
子供に対して操作管理するシナリオは以下のとおりである。
当該アプリケーションのシナリオ例において、ルータは、ある端末機器が、クラウドプレーヤー（Ｃｌｏｕｄ Ｐｌａｙｅｒ）を用いてＨＤムービーをダウンロードするための制御リクエストを、ルータに発送したことを受信したとする。ルータは、当該端末機器の端末機器情報を検出することにより、当該端末機器の使用者がユーザの子供であることを検出する。ルータは、当該トリガイベントがトリガ条件を満たすと判断して、当該トリガイベントを取得し、該当する通知メッセージを生成してユーザの携帯端末にプッシュする。ユーザの携帯端末は、当該通知メッセージを受信した後、図８のインターフェイスに示した通知である「あなたの子供がクラウドプレーヤーを用いてＨＤムービーをダウンロードしています」というメッセージを表示する。ユーザは、当該通知を受信した後、当該通知をクリックすることにより子供が今ダウンロードしているムービーに関連する情報をチェックアウトすることができる。ユーザは、ダウンロードしているムービーが子供には適切でないと判断すると、ルータに制御命令を発送して、ルータを制御して該当するムービーのダウンロードを停止させることができる。
【００８６】
ペットに対するリアルタイムモニタリングのシナリオは以下のとおりである。
当該アプリケーションのシナリオ例において、家には、カメラが配置されており、リアルタイムにペットの状況をモニタリングする。当該カメラは、ホームのＬＡＮに接続可能であり、ルータと接続されている。カメラにより、ペットが動かない時間が予め設定した時間を越えたことをモニタリングされると、関連するトリガイベントをトリガして、当該トリガイベントをルータに送信する。ルータは当該トリガイベントを受信し、該当する通知メッセージを生成して、ユーザの携帯端末にプッシュする。ユーザの携帯端末は、当該通知メッセージを受信した後、図８のインターフェイスに示した警報通知である「 犬ちゃんがしばらくの間動きません！クリックして現場の情況を見ましょう」というメッセージを表示するとともに、警報音を鳴らして、ユーザをリマインドして気をつけるようにする。同時に、図８に示すように、当該警報通知には、一つのビデオストリーミング・インターフェイスを更に提供されており、ユーザは、当該ビデオストリーミングインターフェイスをクリックすることにより、ホームのカメラとビデオストリーミングの伝送リンクを構築して、家のペットに対するリアルタイム的なモニタリングを実現することができる。
【００８７】
図９は、例示的な一実施例に係るインテリジェント遠隔制御のための装置を示す例示的なブロック図である。例えば、装置９００、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００８８】
図９を参照して、装置９００は、プロセスアセンブリ９０２、メモリ９０４、電源アセンブリ９０６、マルチメディアアセンブリ９０８、オーディオアセンブリ９１０、入出力（Ｉ／ O）インターフェイス９１２、センサアセンブリ９１４、及び通信アセンブリ９１６のような一つ以上のアセンブリを含んでよい。
【００８９】
プロセスアセンブリ９０２は、一般的には装置９００の全体の操作を制御するものである。例えば、表示、電話呼び出し、データ通信、カメラ操作、及び記録操作と関連する操作を制御する。プロセスアセンブリ９０２は、一つ以上のプロセッサ９２０を含み、これらによって命令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【００９０】
メモリ９０４は、各種類のデータを記憶することにより装置９００の操作を支援するように構成される。これらのデータの例は、装置９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９１】
電源アセンブリ９０６は、装置９００の多様なアセンブリに電力を供給する。電源アセンブリ９０６は、電源管理システム、一つ以上の電源、及び装置９００のための電力の生成、管理及び割り当てに関連する他のアセンブリを含んでもよい。
【００９２】
マルチメディアアセンブリ９０８は、前記装置９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ９０８は、一つのフロントカメラ、及び／又はリアカメラを含む。装置９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９３】
オーディオアセンブリ９１０は、オーディオ信号を入出力するように構成されてもよい。例えば、オーディオアセンブリ９１０は、一つのマイク（ＭＩＣ）を含み、装置９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【００９４】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９５】
センサアセンブリ９１４は、装置９００に各方面の状態に対する評価を提供するための一つ以上のセンサを含む。例えば、センサアセンブリ９１４は、装置９００のＯＮ／ＯＦＦ状態、装置９００のディスプレイとキーパッドのようなアセンブリの相対的な位置決めを検出できる。また、例えば、センサアセンブリ９１４は、装置９００、或は装置９００の一つのアセンブリの位置変更、ユーザと装置９００とが接触しているか否か、装置９００の方位、又は加速／減速、装置９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【００９６】
通信アセンブリ９１６は、装置９００と他の機器の間に有線、又は無線形態の通信を提供する。装置９００は、例えばＷｉＦｉ、２Ｇ、３Ｇ、或はこれらの組み合わせのような、通信規格に基づいた無線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【００９７】
例示的な実施例において、装置９００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９８】
例示的な実施例において、さらに、命令を含むコンピュータ読取り可能な非一時的な記録媒体、例えば命令を含むメモリ９０４を提供しており、装置９００のプロセッサ９２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【００９９】
コンピュータ読取り可能な非一時的な記録媒体は、当該記録媒体中の命令が装置９００のプロセッサによって実行される際に、装置９００に上記の図１に示したインテリジェント遠隔制御方法を実行させることができるし、前記インテリジェント遠隔制御方法は、
トリガイベントを取得するステップと、
前記トリガイベントに基づいて、通知メッセージを生成するステップと、
前記通知メッセージを少なくとも一つの第１端末にプッシュするステップと、
前記少なくとも一つの第１端末により、前記通知メッセージに基づいて生成されてリターンされる制御命令を受信するステップと、
前記制御命令によって、前記制御命令に対応する第２端末を制御するステップと、を含む。
また、コンピュータ読取り可能な非一時的な記録媒体は、当該記録媒体中の命令が装置９００のプロセッサによって実行される際に、装置９００に上記の図１に示したインテリジェント遠隔制御方法を実行させることができるし、前記インテリジェント遠隔制御方法は、
プロセッサと、
前記プロセッサが実行可能な命令を記憶するためのメモリを備え、
前記プロセッサは、
ルータにより、前記ルータが取得したトリガイベントに基づいて生成されてプッシュされる通知メッセージを受信し、
前記通知メッセージに基づいて、対応する制御命令を生成し、
前記制御命令を前記ルータにリターンして、前記ルータに接続された第２端末を制御する、ように構成される。
【０１００】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１０１】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【０１０２】
本願は、出願番号が２０１４１０１４１３７１.１であって、出願日が２０１４年４月８日である中国特許出願に基づいて優先権を主張し、当該中国特許出願のすべてのコンテンツを援用するようにする。
【図１】
0006030808.tif 000002
【図２Ａ】
0006030808.tif 000003
【図２Ｂ】
0006030808.tif 000004
【図３】
0006030808.tif 000005
【図４】
0006030808.tif 000006
【図５Ａ】
0006030808.tif 000007
【図５Ｂ】
0006030808.tif 000008
【図６】
0006030808.tif 000009
【図７】
0006030808.tif 000010
【図８】
0006030808.tif 000011
【図９】
0006030808.tif 000012